(57)【要約】【課題】冷却通路の水密性を確保できる多条ボールねじを提供する。【解決手段】複数条の外螺旋溝１２が形成されているねじ軸１０と、複数のボールセット４０を介してねじ軸１０に螺設されているナット２０と、を備えている多条ボールねじであって、ナット２０は、複数条の外螺旋溝１２それぞれに対応する複数のボール循環通路２２と、ナット２０の内部に形成されている冷却通路２３と、を備えており、冷却通路２３は、中心軸線Ｌと平行する複数の冷却路２３１があり、各ボール循環通路２２は、ナット２０の内部に中心軸線Ｌと平行に形成されている循環路２２２があり、循環路２２２の両側にある２つの冷却路２３１を連通する冷却路連通手段３０を更に備えており、冷却路連通手段３０は、２つの冷却路２３１に挿入する２つの挿入管３１２と、循環路２２２の端部を跨いで、２つの挿入管３１２に連通している中空の本体部３１１と、を備えている。【選択図】図３
2020159427.tif 000002
【特許請求の範囲】
【請求項１】
中心軸線に沿って、外周面があるように延伸している円柱状のものであって、前記外周面に外螺旋溝が複数条形成されているねじ軸と、
前記外螺旋溝の条数に対応する複数のボールセットを介して前記ねじ軸を周りから囲むように前記ねじ軸に螺設されているナットと、を備えている多条ボールねじであって、
前記ナットは、
前記中心軸線の軸線方向において互いに反対する両端側にそれぞれある第１の端部及び第２の端部と、
前記第１の端部及び前記第２の端部を連接しながら前記ねじ軸に螺設するための軸孔を画成している内周面と、
前記複数条の外螺旋溝それぞれに対応する複数のボール循環通路と、
前記第１の端部と前記第２の端部との間に、前記ナットの内部に前記軸孔を囲繞するように形成されている冷却通路と、を備えており、
前記冷却通路は、前記第１の端部側から前記第２の端部側へ前記ナットの内部で延伸し、且つ、前記軸孔を囲繞するように並んでいる複数の冷却路があり、また、前記複数の冷却路は、順番で前記第１の端部の方と前記第２の端部の方とに交替で、隣り合う２つの前記冷却路が複数の接続部材で連接されて１通路になっており、
各前記ボール循環通路は、前記外螺旋溝と合わせて前記ボールセットのボールを循環的に移動させることができるボールセット循環ルートになっているものであって、
前記外螺旋溝と合わせて前記ボールセットを設置するために前記内周面に形成されている内螺旋溝と、
前記ナットの内部の２つの前記冷却路の間に、前記第１の端部側から前記第２の端部側へ延伸していると共に、両端がいずれも前記外螺旋溝と前記内螺旋溝とに同時に連通している循環路と、
前記第１の端部及び前記第２の端部それぞれに設置されていて、前記内螺旋溝と前記循環路とを導通している２つの導通部材と、を備えており、
前記第１の端部及び前記第２の端部のいずれかで前記循環路の両側にある２つの前記冷却路を連通する冷却路連通手段を更に備えており、
前記冷却路連通手段は、前記循環路の両側にある２つの前記冷却路にそれぞれ挿入して連通する２つの挿入管と、前記循環路の端部を跨いで、中空に構成されていて前記２つの挿入管に連通している本体部と、を備えていて、それにより、連通通路が形成されていることを特徴とする多条ボールねじ。
【請求項２】
前記冷却路連通手段は、前記２つの挿入管及び前記本体部を有する連通部材と、前記連通部材に水密に設置されている密封蓋と、を備えており、
前記本体部は、前記ボール循環通路の前記導通部材に面する内側と該内側に反対する外側があって、外側にある外側面と、内側にある内側面と、を有し、また、開口があるように前記外側面から前記内側面へ窪んでいて前記２つの挿入管と連通する槽が形成されており、
前記密封蓋は、前記外側面及び前記槽の前記開口を水密に覆うことができるように構成されていることを特徴とする請求項１に記載の多条ボールねじ。
【請求項３】
前記冷却路連通手段は、前記連通部材と前記密封蓋との間に設置されている水密部材を更に備えていることを特徴とする請求項２に記載の多条ボールねじ。
【請求項４】
前記ナットの前記第１の端部は、第１の端面を有し、
前記第１の端面には、前記冷却路連通手段の前記連通部材が嵌入できる凹部が形成されていることを特徴とする請求項２に記載の多条ボールねじ。
【請求項５】
前記凹部の周囲に複数の第１のねじ孔が形成されており、
前記密封蓋には、前記複数の第１のねじ孔に対応する複数の第２のねじ孔が開けられており、
前記冷却路連通手段は、前記複数の第１のねじ孔及び前記複数の第２のねじ孔それぞれに螺接して、前記冷却路連通手段を前記ナットに取り外し可能に固定する複数のねじを更に備えていることを特徴とする請求項４に記載の多条ボールねじ。
【請求項６】
前記冷却路連通手段は、前記２つの挿入管と前記２つの挿入管それぞれが挿入する前記冷却路を形成する前記ナットの内壁との間に設置されている２つの水密リングを更に備えていることを特徴とする請求項１〜請求項５に記載の多条ボールねじ。
【発明の詳細な説明】
【技術分野】
【０００１】
本発明は冷却手段を備えるボールねじに関し、特に冷却手段を備える多条ボールねじに関する。
【背景技術】
【０００２】
従来の多条ボールねじ、例えば、特許文献１に記載されている二条ボールねじは、２つのボールセット及び該２つのボールセットそれぞれに対応する２つのボール循環通路を備えている。各ボール循環通路は、ねじ軸の外面に形成されている外螺旋溝と、ナットの内周面に形成されている内螺旋溝と、ナットの外周面とナットの内周面との間に形成されている循環路と、ナットの両端それぞれに設置されている２つの循環部材とにより構成されている。循環部材は、循環路と内螺旋溝とを連通させる循環カーブを有する。
【０００３】
しかし、特許文献１に記載されている二条ボールねじは、冷却用の通路がないため、使用中、高熱で部品が熱変形しやすく、加工の精度及び効率に悪影響が及ぶ。
【０００４】
また、例えば、特許文献２に記載されているボールねじは、ナットの内部に軸線方向に沿って延伸する複数の冷却路と、各２つの冷却路を連通するためにナットの両端に設置されている複数の連通部材と、を有している冷却通路により、ボールねじを冷却して、加工の精度及び効率を上げることができる。
【０００５】
しかし、多条ボールねじに特許文献２の冷却通路を適用すると、少なくとも１つのボール循環通路においてナットの内部に形成されている循環路が冷却通路と交差し、且つ、循環部材を設置するためにナットの端部に凹部を形成することが必要であるので、冷却通路の水密性が確保できなくなるという問題点がある。
【０００６】
また、特許文献３に開示されているボールねじも、冷却通路を有する単条ボールねじであるので、冷却通路を有する多条ボールねじの開発が必要である。
【先行技術文献】
【特許文献】
【０００７】
【特許文献１】台湾実用新案第Ｍ４６７７７０号公報
【特許文献２】台湾特許第Ｉ２３０２３２号公報
【特許文献３】台湾実用新案第Ｍ５３２００３号公報
【発明の概要】
【発明が解決しようとする課題】
【０００８】
上記問題点に鑑みて、本発明は、ナットを冷却して熱変形による悪影響を防止できる冷却通路を有し、且つ、該冷却通路の水密性を確保できる多条ボールねじの提供を目的とする。
【課題を解決するための手段】
【０００９】
上記目的を達成すべく、本発明は、中心軸線に沿って、外周面があるように延伸している円柱状のものであって、前記外周面に外螺旋溝が複数条形成されているねじ軸と、前記外螺旋溝の条数に対応する複数のボールセットを介して前記ねじ軸を周りから囲むように前記ねじ軸に螺設されているナットと、を備えている多条ボールねじであって、前記ナットは、前記中心軸線の軸線方向において互いに反対する両端側にそれぞれある第１の端部及び第２の端部と、前記第１の端部及び前記第２の端部を連接しながら前記ねじ軸に螺設するための軸孔を画成している内周面と、前記複数条の外螺旋溝それぞれに対応する複数のボール循環通路と、前記第１の端部と前記第２の端部との間に、前記ナットの内部に前記軸孔を囲繞するように形成されている冷却通路と、を備えており、前記冷却通路は、前記第１の端部側から前記第２の端部側へ前記ナットの内部で延伸し、且つ、前記軸孔を囲繞するように並んでいる複数の冷却路があり、また、前記複数の冷却路は、順番で前記第１の端部の方と前記第２の端部の方とに交替で、隣り合う２つの前記冷却路が複数の接続部材で連接されて１通路になっており、各前記ボール循環通路は、前記外螺旋溝と合わせて前記ボールセットのボールを循環的に移動させることができるボールセット循環ルートになっているものであって、前記外螺旋溝と合わせて前記ボールセットを設置するために前記内周面に形成されている内螺旋溝と、前記ナットの内部の２つの前記冷却路の間に、前記第１の端部側から前記第２の端部側へ延伸していると共に、両端がいずれも前記外螺旋溝と前記内螺旋溝とに同時に連通している循環路と、前記第１の端部及び前記第２の端部それぞれに設置されていて、前記内螺旋溝と前記循環路とを導通している２つの導通部材と、を備えており、前記第１の端部及び前記第２の端部のいずれかで前記循環路の両側にある２つの前記冷却路を連通する冷却路連通手段を更に備えており、前記冷却路連通手段は、前記循環路の両側にある２つの前記冷却路にそれぞれ挿入して連通する２つの挿入管と、前記循環路の端部を跨いで、中空に構成されていて前記２つの挿入管に連通している本体部と、を備えていて、それにより、連通通路が形成されていることを特徴とする多条ボールねじを提供する。
【発明の効果】
【００１０】
上記の構成によれば、本発明の多条ボールねじは、冷却路連通手段により、循環路の両側にある２つの冷却路を水密に連通できるので、上記の問題点を解消できて、ボールねじを冷却して加工の精度及び効率を上げることができる。
【図面の簡単な説明】
【００１１】
【図１】本発明の多条ボールねじの実施形態を示す、部分透視斜視図である。
【図２】上記の多条ボールねじを他の角度で示す、部分透視斜視図である。
【図３】上記の多条ボールねじを示す、部品分解図である。
【図４】上記の多条ボールねじを示す、部分部品分解図である。
【図５】上記の多条ボールねじの一端面を示す、部分断面図である。
【図６】上記の多条ボールねじの冷却路連通手段を示す、部分断面図である。
【図７】上記の多条ボールねじのナット内の冷却通路及び循環路を示す図である。
【発明を実施するための形態】
【００１２】
以下、各図面を参照しながら、本発明の各実施形態について詳しく説明する。
【００１３】
本発明をより詳細に説明する前に、適切と考えられる場合において、同一の符号は、同様の特性を有し得る対応する要素を示すために各図面間で繰り返し用いられることに留意されたい。
【００１４】
図１は本発明の多条ボールねじの実施形態を示す、部分透視斜視図である。図２は上記の多条ボールねじを他の角度で示す、部分透視斜視図である。図３は上記の多条ボールねじを示す、部品分解図である。図４は上記の多条ボールねじを示す、部分部品分解図である。本発明のボールねじは、図１及び図２に示されるように、ねじ軸１０と、ナット２０と、冷却路連通手段３０とを備えている。
【００１５】
ねじ軸１０は、中心軸線Ｌに沿って、外周面１１があるように延伸している円柱状のものであって、外周面１１に外螺旋溝１２が複数条形成されている。この実施形態において、外螺旋溝１２は２条形成されている。
【００１６】
ナット２０は、図１〜図４に示されるように、外螺旋溝１２の条数に対応する複数のボールセット４０を介してねじ軸１０を周りから囲むようにねじ軸１０に螺設されているものであって、中心軸線Ｌの軸線方向において互いに反対する両端側にそれぞれある第１の端部２１１及び第２の端部２１１’と、第１の端部２１１及び第２の端部２１１’を連接しながらねじ軸１０に螺設するための軸孔２１２を画成している内周面２１３と、複数条の外螺旋溝１２それぞれに対応する複数のボール循環通路２２と、第１の端部２１１と第２の端部２１１’との間に、ナット２０の内部に軸孔２１２を囲繞するように形成されている冷却通路２３と、を備えている。
【００１７】
ボールセット４０は、複数のボールにより構成されたものである。
【００１８】
この実施形態において、ボールセット４０及びボール循環通路２２は、２条の外螺旋溝１２に対応して、それぞれ２つある。
【００１９】
ナット２０の第１の端部２１１及び第２の端部２１１’それぞれは、図３に示されるように、第１の端面２１４及び第２の端面２１４’を有している。
【００２０】
第１の端面２１４及び第２の端面２１４’には、ナットの円周方向に沿って湾曲して上記軸線方向と直交する方向での断面視で三日月状を呈する複数の嵌入槽２１５、２１５’と、内周面２１３に連接する２つの設置孔２１６と、がそれぞれ形成されている。
【００２１】
また、第１の端面２１４には、図１に示されるように、導入管２１７及び導出管２１７’が挿入されている。
【００２２】
第２の端面２１４’には、１つの設置孔２１６に連通する凹部２１８が形成されている。
【００２３】
凹部２１８の周囲に複数の第１のねじ孔２１９が形成されている。詳しく説明すると、図３に示されるように、凹部２１８の両側それぞれに第２の端面２１４’から窪んでいる部分に第１のねじ孔２１９が形成されている。
【００２４】
図１〜図３に示されるように、各ボール循環通路２２は、外螺旋溝１２と合わせてボールセット４０のボールを循環的に移動させることができるボールセット循環ルートになっているものであって、内螺旋溝２２１と、循環路２２２と、２つの導通部材２２３と、を備えている。
【００２５】
内螺旋溝２２１は、外螺旋溝１２と合わせてボールセット４０を設置するために内周面２１３に形成されている。
【００２６】
循環路２２２は、ナット２０の内部に、第１の端部２１１側から第２の端部２１１’側へ延伸していると共に、両端がいずれも外螺旋溝１２と内螺旋溝２２１とに同時に連通している。
【００２７】
ナット２０の第１の端面２１４及び第２の端面２１４’にある設置孔２１６は、循環路２２２の両端に対応する位置に、導通部材２２３が設置でき、且つ、外螺旋溝１２と内螺旋溝２２１とを連通するように形成されている。
【００２８】
２つの導通部材２２３は、第１の端部２１１及び第２の端部２１１’それぞれの設置孔２１６に設置されていて、内螺旋溝２２１と循環路２２２とを導通している。
【００２９】
即ち、この実施形態において、循環路２２２は、導通部材２２３を介して外螺旋溝１２と内螺旋溝２２１とに同時に連通している。ボールセット４０のボールは、循環路２２２、導通部材２２３、外螺旋溝１２及び内螺旋溝２２１内に循環移動する。
【００３０】
この実施形態において、図１及び図２に示されるように、循環路２２２は、中心軸線Ｌと平行するように延伸している。
【００３１】
２つのボール循環通路２２それぞれの循環路２２２は、図５に示されるように、ナット２０の円周方向に１８０度ずれた位置に形成されている。
【００３２】
また、外螺旋溝１２が３条形成される場合、循環路２２２は、ナット２０の円周方向に１２０度ずれた位置に形成され、外螺旋溝１２が４条形成される場合、循環路２２２は、ナット２０の円周方向に９０度ずれた位置に形成される。
【００３３】
図５は上記の多条ボールねじの一端面を示す、部分断面図である。図６は上記の多条ボールねじの冷却路連通手段を示す、部分断面図である。図７は上記の多条ボールねじのナット内の冷却通路及び循環路を示す図である。
【００３４】
冷却通路２３は、図１及び図２に示されるように、第１の端部２１１側から第２の端部２１１’側へと、ナット２０の内部にそれぞれ中心軸線Ｌと平行するように延伸し、且つ、軸孔２１２を囲繞するように並んでいる複数の冷却路２３１があり、また、複数の冷却路２３１は、順番で第１の端部２１１の方と第２の端部２１１’の方とに交替で、隣り合う２つの冷却路２３１が複数の接続部材２３２で連接されている（即ち図７のような状態）。なお、各ボール循環通路２２の循環路２２２は、隣り合う２つの冷却路２３１の間に配置される。
【００３５】
第１の端面２１４及び第２の端面２１４’にある嵌入槽２１５、２１５’は、上記のような隣り合う２つの冷却路２３１を連通するように形成されている。
【００３６】
図１及び図７に示されるように、複数の冷却路２３１のうちの１つには、冷却液を導入するために導入管２１７が連接され、また、導入管２１７が連接されている冷却路２３１に対して、冷却液が流通する最後の冷却路２３１には、冷却液を導出するために導出管２１７’が連接されている。この実施形態において、図５に示されるように、ナット２０の上方にある循環路２２２の左側の冷却路２３１に導入管２１７が連接され、ナット２０の上方にある循環路２２２の右側の冷却路２３１（即ち、ナット２０の上方にある循環路２２２の左側の冷却路２３１に対して、ナット２０の円周方向に２７０度ずれた位置にある冷却路２３１）に導出管２１７’が連接されている。
【００３７】
複数の接続部材２３２それぞれは、図３に示されるように、嵌入槽２１５、２１５’に水密に嵌入でき且つ嵌入槽２１５、２１５’の底部に面する一面が開口し、該一面から該一面の反対面に窪んでいる連通部２３３を有する。接続部材２３２が嵌入槽２１５、２１５’に嵌入することにより、連通部２３３で隣り合う２つの冷却路２３１が連通される。この実施形態において、接続部材２３２は、図５に示されるように、ナットの円周方向に沿って湾曲する三日月状に形成されている。
【００３８】
なお、上記の構成により、各ボール循環通路２２の循環路２２２及び導通部材２２３は、隣り合う２つの冷却路２３１の間に位置する。
【００３９】
冷却路連通手段３０は、図５及び図６に示されるように、凹部２１８に嵌入して、第１の端部２１１及び第２の端部２１１’のいずれかで循環路２２２の両側にある２つの冷却路２３１を連通するものである。この実施形態において、冷却路連通手段３０は、図５に示されるように、ナット２０の円周方向に沿って湾曲する三日月状に形成され、且つ、第２の端部２１１’に設置されている。
【００４０】
また、冷却路連通手段３０は、連通部材３１と、連通部材３１に水密に設置されている密封蓋３２と、連通部材３１と密封蓋３２との間に設置されている水密部材３３と、２つの水密リング３４と、複数のねじ３５を備えている。水密部材３３の設置により、連通部材３１と密封蓋３２との間が水密になる。
【００４１】
連通部材３１は、循環路２２２の両側にある２つの冷却路２３１にそれぞれ挿入して連通する２つの挿入管３１２と、循環路２２２の端部（導通部材２２３）を跨いで、中空に構成されていて２つの挿入管３１２に連通している本体部３１１と、を備えていて、それにより、連通通路３１３が形成されている。
【００４２】
本体部３１１には、図４及び図６に示されるように、ボール循環通路２２の導通部材２２３に面する内側と該内側に反対する外側があって、外側にある外側面３１４と、内側にある内側面３１５と、を有し、また、開口があるように外側面３１４から内側面３１５に向かって窪んでいて、２つの挿入管３１２と連通する槽３１６が形成されている。
【００４３】
密封蓋３２は、図４〜図６に示されるように、槽３１６の外側面３１４及び前記開口を水密に覆うことができるように構成され、且つ、板体部３２１と板体部３２１の両端にある２つの締結部３２２を備えている上、締結部３２２に複数の第１のねじ孔２１９に対応する複数の第２のねじ孔３２３が開けられている。
【００４４】
この実施形態において、冷却路連通手段３０は、凹部２１８に嵌入すると、密封蓋３２の外側に向かう面が第２の端面２１４’と同一平面になるように構成されている。
【００４５】
２つの水密リング３４は、２つの挿入管３１２と２つの挿入管３１２それぞれが挿入する冷却路２３１を形成するナット２０の内壁との間に設置されている。それにより、挿入管３１２と冷却路２３１を形成するナット２０の内壁との間が水密になる。
【００４６】
複数のねじ３５は、複数の第１のねじ孔２１９及び複数の第２のねじ孔３２３それぞれに螺接して、冷却路連通手段３０をナット２０に取り外し可能に固定する。
【００４７】
この実施形態において、図４〜図６に示されるように、第１のねじ孔２１９及び第２のねじ孔３２３はそれぞれ２つ開けられ、ねじ３５は２つ備えている。
【００４８】
なお、連通部材３１と密封蓋３２とを一体的に形成して、１つの部材にすることもできる。
【００４９】
これから、上記の構成を有する本発明の多条ボールねじの作用について説明する。
【００５０】
図１及び図２に示されるように、本発明の多条ボールねじが組み立てられた後、ナット２０が２つのボールセット４０を介してねじ軸１０に螺設されていることにより、且つ、２つのボールセット４０それぞれが循環移動できる２つのボール循環通路２２を有していることにより、ナット２０は、ねじ軸１０に沿ってスムースに直線変位（移動）できる。
【００５１】
また、図６及び図７に示されるように、ナット２０の冷却通路２３と冷却路連通手段３０とを合わせて、図７の破線矢印に示されるように、冷却液が導入管２１７から冷却通路２３に導入されると、冷却液が冷却路２３１、接続部材２３２及び冷却路連通手段３０を流通することにより、ナット２０の各部分を回って経過してナット２０全体を冷却することができる。そして、熱を吸収した冷却液が導出管２１７’から導出される。
【００５２】
よって、図５、図６及び図７に示されるように、冷却路連通手段３０が循環路２２２（導通部材２２３）の両側にある２つの冷却路２３１を連通することにより、冷却通路２３がボール循環通路２２と交差しなくなり、冷却通路２３の水密性及びボールセット４０のボールのボール循環通路２２内における移動性に悪影響が及ばない。
【００５３】
従って、本発明の多条ボールねじは、冷却路連通手段３０の設置により、ナット２０を冷却できて、加工の精度及び効率を挙げることができ、従来の多条ボールねじの欠点を解消できる。また、冷却路連通手段３０の構造及び設置が簡易で、簡単に製造、設置できる。
【産業上の利用可能性】
【００５４】
本発明の多条ボールねじは、一般のボールねじを用いる機械装置に適用できる。
【符号の説明】
【００５５】
１０  ねじ軸
１１  外周面
１２  外螺旋溝
２０  ナット
２１１  第１の端部
２１１’  第２の端部
２１２  軸孔
２１３  内周面
２１４  第１の端面
２１４’  第２の端面
２１５、２１５’  嵌入槽
２１６  設置孔
２１７  導入管
２１７’  導出管
２１８  凹部
２１９  第１のねじ孔
２２  ボール循環通路
２２１  内螺旋溝
２２２  循環路
２２３  導通部材
２３  冷却通路
２３１  冷却路
２３２  接続部材
２３３  連通部
３０  冷却路連通手段
３１  連通部材
３１１  本体部
３１２  挿入管
３１３  連通通路
３１４  外側面
３１５  内側面
３１６  槽
３２  密封蓋
３２１  板体部
３２２  締結部
３２３  第２のねじ孔
３３  水密部材
３４  水密リング
３５  ねじ
４０  ボールセット
Ｌ  中心軸線
【図１】
2020159427.tif 000003
【図２】
2020159427.tif 000004
【図３】
2020159427.tif 000005
【図４】
2020159427.tif 000006
【図５】
2020159427.tif 000007
【図６】
2020159427.tif 000008
【図７】
2020159427.tif 000009
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
中心軸線に沿って、外周面があるように延伸している円柱状のものであって、前記外周面に外螺旋溝が複数条形成されているねじ軸と、
前記外螺旋溝の条数に対応する複数のボールセットを介して前記ねじ軸を周りから囲むように前記ねじ軸に螺設されているナットと、を備えている多条ボールねじであって、
前記ナットは、
前記中心軸線の軸線方向において互いに反対する両端側にそれぞれある第１の端部及び第２の端部と、
前記第１の端部及び前記第２の端部を連接しながら前記ねじ軸に螺設するための軸孔を画成している内周面と、
前記複数条の外螺旋溝それぞれに対応する複数のボール循環通路と、
前記第１の端部と前記第２の端部との間に、前記ナットの内部に前記軸孔を囲繞するように形成されている冷却通路と、を備えており、
前記冷却通路は、前記第１の端部側から前記第２の端部側へ前記ナットの内部で延伸し、且つ、前記軸孔を囲繞するように並んでいる複数の冷却路があり、また、前記複数の冷却路は、順番で前記第１の端部の方と前記第２の端部の方とに交替で、隣り合う２つの前記冷却路が複数の接続部材で連接されて１通路になっており、
各前記ボール循環通路は、前記外螺旋溝と合わせて前記ボールセットのボールを循環的に移動させることができるボールセット循環ルートになっているものであって、
前記外螺旋溝と合わせて前記ボールセットを設置するために前記内周面に形成されている内螺旋溝と、
前記ナットの内部の２つの前記冷却路の間に、前記第１の端部側から前記第２の端部側へ延伸していると共に、両端がいずれも前記外螺旋溝と前記内螺旋溝とに同時に連通している循環路と、
前記第１の端部及び前記第２の端部それぞれに設置されていて、前記内螺旋溝と前記循環路とを導通している２つの導通部材と、を備えており、
前記第１の端部及び前記第２の端部のいずれかで前記循環路の両側にある２つの前記冷却路を連通する冷却路連通手段を更に備えており、
前記冷却路連通手段は、前記循環路の両側にある２つの前記冷却路にそれぞれ挿入して連通する２つの挿入管と、前記循環路の端部を跨いで、中空に構成されていて前記２つの挿入管に連通している本体部と、を備えていて、それにより、連通通路が形成されていることを特徴とする多条ボールねじ。
【請求項２】
前記冷却路連通手段は、前記２つの挿入管及び前記本体部を有する連通部材と、前記連通部材に水密に設置されている密封蓋と、を備えており、
前記本体部は、前記ボール循環通路の前記導通部材に面する内側と該内側に反対する外側があって、外側にある外側面と、内側にある内側面と、を有し、また、開口があるように前記外側面から前記内側面へ窪んでいて前記２つの挿入管と連通する槽が形成されており、
前記密封蓋は、前記外側面及び前記槽の前記開口を水密に覆うことができるように構成されていることを特徴とする請求項１に記載の多条ボールねじ。
【請求項３】
前記冷却路連通手段は、前記連通部材と前記密封蓋との間に設置されている水密部材を更に備えていることを特徴とする請求項２に記載の多条ボールねじ。
【請求項４】
前記ナットの前記第１の端部は、第１の端面を有し、
前記第１の端面には、前記冷却路連通手段の前記連通部材が嵌入できる凹部が形成されていることを特徴とする請求項２に記載の多条ボールねじ。
【請求項５】
前記凹部の周囲に複数の第１のねじ孔が形成されており、
前記密封蓋には、前記複数の第１のねじ孔に対応する複数の第２のねじ孔が開けられており、
前記冷却路連通手段は、前記複数の第１のねじ孔及び前記複数の第２のねじ孔それぞれに螺接して、前記冷却路連通手段を前記ナットに取り外し可能に固定する複数のねじを更に備えていることを特徴とする請求項４に記載の多条ボールねじ。
【請求項６】
前記冷却路連通手段は、前記２つの挿入管と前記２つの挿入管それぞれが挿入する前記冷却路を形成する前記ナットの内壁との間に設置されている２つの水密リングを更に備えていることを特徴とする請求項１〜請求項５のいずれか一項に記載の多条ボールねじ。